(57)【要約】【課題】天井等の一か所に簡単かつ安定して取付けることができ、流水性、施工性にすぐれた給水・給湯配管ユニット及びその施工方法を提供する。【解決手段】パイプ材により環状に形成され、１または２以上の枝管が接続された給水分岐管２及び１または２以上の枝管が接続された給湯分岐管３を有し、取付位置への取付部７を有する支持部材６により給水分岐管２及び給湯分岐管３を上下又は同心的に配置して一体に固定した。また、上記の支持部材６を十字状又はほぼＹ字形に形成し、その中心部に取付部７を設けた。【選択図】　　　　図１
2004084401.tif 000002
【特許請求の範囲】
【請求項１】
パイプ材により環状に形成され、１または２以上の枝管が接続された給水分岐管及び１または２以上の枝管が接続された給湯分岐管を有し、
取付位置への取付部を有する支持部材により前記給水分岐管及び給湯分岐管を上下又は同心的に配置して一体に固定したことを特徴とする給水・給湯配管ユニット。
【請求項２】
可撓性を有するパイプ材により環状に形成され、給水源、住戸内設備に配管される枝管が接続された給水分岐管及び給湯源、住戸内設備に配管される枝管が接続された給湯分岐管を有し、
取付位置への取付部を有する支持部材により前記給水分岐管及び給湯分岐管を上下又は同心的に配置して一体に固定したことを特徴とする給水・給湯配管ユニット。
【請求項３】
前記支持部材を十字状又はほぼＹ字状に形成し、その中心部に取付部を設けたことを特徴とする請求項１又は２記載の給水・給湯配管ユニット。
【請求項４】
工場等で製作された請求項１〜３のいずれかに係る給水・給湯配管ユニットを支持部材により取付位置に取付ける工程と、
枝管を引き延して所定の位置に配管する工程とを有することを特徴とする給水・給湯配管ユニットの施工方法。
【請求項５】
前記工場等で製作された給水・給湯配管ユニットは、各枝管を給水分岐管及び給湯分岐管の周囲に集束して束縛し梱包することを特徴とする請求項４記載の給水・給湯配管ユニットの施工方法。
【請求項６】
給水・給湯配管ユニットの取付位置への取付けにあたっては、開梱して枝管を束縛したままの状態で行うことを特徴とする請求項４又は５記載の給水・給湯配管ユニットの施工方法。
【発明の詳細な説明】
【０００１】
【発明の属する技術分野】
本発明は、集合住宅などの住戸内に配管するための給水・給湯配管ユニット及びその施工方法に関するものである。
【０００２】
【従来の技術】
従来、この種住戸の給水・給湯配管としては、一般に分岐工法又はヘッダ工法が採用されていた。
しかし、分岐工法の場合は、継手から漏水のおそれがあり、また、通常床配管となるため漏水した場合に発見しにくく、その上、建設中の建物躯体の雨養生が実施された後でないと床配管を敷設できない等の問題があった。
【０００３】
また、ヘッダ工法の場合は、総配管長が長くなり、さらに、給水、給湯ヘッダの設置位置に制約があるばかりでなく、点検できるスペース及び施工スペースが必要である等の問題があった。
さらに、分岐工法、ヘッダ工法のいずれの場合においても数種類の配管サイズが必要で、このため継手の種類も多くなる等、種々問題があった。
【０００４】
このような問題を解決するために、特開平１０−８８６３１号公報には、屈曲性を有するパイプ材で環状に形成され、環状の一部に給水点又は給湯点を有するループ配管部と、このループ配管部からそれぞれ分岐して各水栓に接続される屈曲性を有する枝配管部とからなり、ループ配管部と各枝配管部とを継手を介して熱融着で接合したプレハブ式の給水及び給湯配管システムが提案されている。
【０００５】
【発明が解決しようとする課題】
上記のような給水及び給湯配管システムは、現場施工性にすぐれ、部品点数も低減できて低コスト化が実現できる特長を有するが、給水用のループ配管部と給湯用のループ配管部をそれぞれ別に設けなければならないため、施工が面倒であるばかりでな、広い設置スペースが必要であった。また、ループ配管部は、パイプ材を保持する複数の取付金具を天井、壁等に固定して設置するようにしているが、屈曲性を有するため不安定で取付が面倒であった。
【０００６】
本発明は、上記の課題を解決するためになされたもので、給水分岐管と給湯分岐管を一体化してなる分岐配管部を取付位置の一か所に簡単かつ安定して取付けることができる、流水性、施工性にすぐれた給水・給湯配管ユニット及びその施工方法を提供することを目的としたものである。
【０００７】
【課題を解決するための手段】
（１）本発明に係る給水・給湯配管ユニットは、パイプ材により環状に形成され、１または２以上の枝管が接続された給水分岐管及び１または２以上の枝管が接続された給湯分岐管を有し、取付位置への取付部を有する支持部材により前記給水分岐管及び給湯分岐管を上下又は同心的に配置して一体に固定したものである。
【０００８】
（２）また、本発明に係る給水・給湯配管ユニットは、可撓性を有するパイプ材により環状に形成され、給水源、住戸内設備に配管される枝管が接続された給水分岐管及び給湯源、住戸内設備に配管される枝管が接続された給湯分岐管を有し、取付位置への取付部を有する支持部材により前記給水分岐管及び給湯分岐管を上下又は同心的に配置して一体に固定したものである。
【０００９】
（３）上記（１）又は（２）の支持部材を十字状又はほぼＹ字状に形成し、その中心部に取付部を設けた。
【００１０】
（４）また、本発明に係る給水・給湯配管ユニットの施工方法は、工場等で作された上記（１）〜（３）のいずれかに係る給水・給湯配管ユニットを支持部材により取付位置に取付ける工程と、枝管を引き延して所定の位置に配管する工程とを有するものである。
【００１１】
（５）上記（４）の工場等で製作された給水・給湯配管ユニットは、各枝管を給水分岐管及び給湯分岐管の周囲に集束して束縛し梱包するようにした。
【００１２】
（６）上記（４）又は（５）の給水・給湯配管ユニットの取付位置への取付けにあたっては、開梱して枝管を束縛したままの状態で行うようにした。
【００１３】
【発明の実施の形態】
［実施の形態１］
図１は本発明の実施の形態１に係る給水・給湯配管ユニットの全体構成を示す一部を省略した説明図である。
図において、１は環状の分岐配管部で、例えばポリブテンの如き合成樹脂からなり可撓性を有するパイプ材（例えば、口径１０ｍｍ程度）からなり、環状に形成されて上下に配設された給水用分岐管２と、給湯用分岐管３からなっている。２１は給水源である水道管、２５は給湯源である給湯器で、水道管２１から分岐した立上り管２６に接続されている。３０は住戸内に設置された浴槽、３１は洗面台、３２は洗濯機、３３は流し台、３４は便器で、以下これらを住戸内設備ということがある。
【００１４】
４は合成樹脂からなるＴ字状の継手で、ほぼ直線状の本体部とこれと直交して設けられた分岐部とからなり、本体部の両端部には給水用分岐管２又は給湯用分岐管３が熱融着により接合され、給水用分岐管２の継手４の分岐部には、合成樹脂からなり、一端が継手２４を介して水道管２１に接続された給水用の枝管１６の他端が熱融着により接合されている。また、給湯分岐管３の継手４の分岐部には、合成樹脂からなり、一端が継手２４を介して給湯器２６に接続された給湯用の枝管１７の他端が熱融着により接合されている。
【００１５】
５は合成樹脂からなるほぼＹ字状又ｈ字状（以下、両者を合わせてＹ字状という）の継手で、図２に示すように、ほぼ直線上の本体部５ａと、本体部５ａから一方の側に鋭角で分岐した分岐管部５ｂとからなり、本体部５ａの両端部には給水用分岐管２又は給湯用分岐管３が、また、分岐部５ｂには住戸内設備に接続される枝管がそれぞれ熱融着により接合されている。なお、上記の説明では、給水用の枝管１６及び給湯用の枝管１７の接合にＴ字状の継手４を、住戸内設備に接合される枝管にＹ字状の継手５を用いた場合を示したが、これに限定するものではなく、状況に応じてＴ字状又はＹ字状の継手を適宜使用することができる。
【００１６】
分岐配管部１を構成する給水用分岐管２と給湯用分岐管３は、複数の固定具（図１には示してない）により、一体に固定されている。図３に固定具の一例を示す。この固定具８は、垂直片８ａと水平片８ｂとによりＬ字状に形成され、垂直片８ａの水平片８ｂと反対側には、Ｃ字状の２つの保持部９ａ，９ｂが設けられており、保持部９ａ，９ｂの内径は、給水用分岐管２と給湯用分岐管３の外径とほぼ等しいか又はこれより若干小さく形成されている。そして、保持部９ａに給水用分岐管２を、保持部９ｂに給湯用分岐管３をそれぞれ嵌入することにより、両者は所定の間隔を隔てて保持される。８ｃは水平片８ｂに設けたねじ挿通穴である。なお、この固定具８は後述の支持部材に対応した位置に設けられている。
【００１７】
６は木材、合成樹脂等からなる２本の支持材６ａ，６ｂを、分岐配管部１の下側に十字状に交差して配設された支持部材で、上述の給水分岐管２と給湯分岐管３が一体に固定された固定具８の水平片８ｂがねじ止めされ、固定具８と相俟って、分岐配管部１を所定の形状（環状）に一体に保持する。７は両支持材６ａ，６ｂの交差部（中心部）に設けられた取付位置である天井、壁等への取付部である貫通穴である。
【００１８】
１１ａは可撓管からなり、一端がＹ字状の継手５を介して給水用分岐管２に接続され、他端が継手２４を介して浴槽３０の水栓に接続された給水用の枝管、１２ａは同じく洗面台３１の水栓に接続された給水用の枝管、１３は同じく洗濯機３２の水栓に接続された給水用の枝管、１４ａは同じく流し台３３の水栓に接続された給水用の枝管、１５は同じく便器３４の水栓に接続された給水用の枝管である。
【００１９】
１１ｂは可撓管からなり、一端がＹ字状の継手５を介して給湯用分岐管３に接続され、他端が継手２４を介して浴槽３０の湯栓に接続された給湯用の枝管、１２ｂは同じく洗面台３１の湯栓に接続された給湯用の枝管、１４ｂは同じく流し台３３の湯栓に接続された給湯用の枝管である。なお、図示してないが、例えば給湯分岐管２と洗濯機３１に設けた湯栓とを枝管により接続する等、枝管を適宜増減してもよい。
【００２０】
上記の説明では、分岐配管部１を支持する支持部材６を、２本の支持材６ａ，６ｂを十字状に交差して構成した場合を示したが、例えば、図４に示すように、支持部材６をほぼ１２０°間隔でほぼＹ字状に形成し、各片に固定具８により分岐配管部１を一体に固定するなど、支持部材６の構造は適宜変更することができる。
【００２１】
上記のような分岐配管部１、支持部材６、一端が分岐配管部１の給水用配管２又は給湯用配管３に接続され、他端に継手が取付けられた各枝管１１ａ，１１ｂ，…１６，１７（以下、これらを一括して枝管１１と記すことがある）からなる給水・給湯配管ユニットは、分岐配管部１の設置場所及びスペース、分岐配管部１から水道管２１、給湯器２５、浴槽３０等の住戸内設備の接続部または水栓及び湯栓までの距離（各枝管１１の長さ）を求めておき、あらかじめ工場等で製作してユニット化される。
【００２２】
そして、各枝管１１を分岐配管部１の周縁に沿って集束し、適宜束縛して梱包し、建築現場に輸送される。このとき、分岐配管部１の継手５（必要に応じて継手４を含む）をＹ字状に形成することにより、各枝管１１を分岐配管部１に沿わせて集束し、梱包することができるので、嵩張ることなくコンパクトに梱包することができ、開梱も容易である。
【００２３】
次に、本実施の形態に係る給水・給湯配管ユニットの施工手順の一例について説明する。
各住戸ごとに梱包された複数の給水・給湯配管ユニットを建築現場に輸送し、各住戸の設置場所（例えば、台所、浴室、廊下等）の近傍にそれぞれ運搬し、開梱する。このとき、各枝管１１は束縛したままとする。そして、図５に示すように、分岐配管部１を持ち上げてその支持部材６に設けた貫通穴７を、取付位置である天井スラブ４０や壁等（以下、単に天井と記す）に設けたねじ棒４１に挿入し、下からナット４２を螺合して固定する。このとき、必要に応じて各枝管１１を、対応する水道管２１、給湯器２５及び各住戸内設備の方向に位置合わせする。これにより、分岐配管部１の天井４０への取付けが終了する。なお、支持部材６を上にして取付けてもよい。
【００２４】
そして、建築工事の進捗状況に応じて束縛を解き、各枝管１１を延し、天井４０とほぼ平行に水道管２１、給湯器２５及びそれぞれの住戸内設備の上方まで引き延したのち、壁に沿って下降させ、先端部に設けた各継手２４を所定の位置に固定する。これにより配管工事が終り給水・給湯配管ユニットの敷設が完了する。なお、上記の施工手順はその一例を示すもので、建築現場の状況等に応じて適宜変更することができる。
【００２５】
次に、上記のようにして住戸内に敷設した本実施の形態の給水・給湯作用について説明する。
先ず、最初に水道管２１の弁（図示せず）を開放し、分岐配管部１の給水分岐管２、給湯分岐管３及び各枝管１１内に水道水を充水する。
いま、例えば流し台３３の水栓を開放すると、枝管１４ａ及び給水分岐管２内の水が水栓から放水される。これに伴って、水道管２１内の水が給水用の枝管１６、給水分岐管２、枝管１４ａに送水され、引続き水栓から放水される。水栓を閉じると放水が止り、給水用の枝管１６、給水分岐管２及びこれに接続された各枝管１１内には常に水道水が充水されている。
【００２６】
また、例えば流し台３３の湯栓を開放すると、枝管１４ｂ、給湯分岐管３、給湯用の枝管１７内の水が湯栓から放水され、放水により給湯器２５が作動して、水道管２１から送られた水を加熱しながら送水し、逐次加熱された温水は給湯分岐管３及び枝管１４ｂを経て湯栓から放水される。実験の結果によれば、配管ユニットの規模にもよるが、３０℃の温水を得るための待ち時間は、２０秒前後であった。
【００２７】
湯栓を閉じると給湯器２５の作動が停止し、給湯器２５の下流側、したがって、給湯器用の枝管１７、給湯分岐管３及びこれに接続された各枝管１１内には、温水が充水される。
この場合、給湯分岐管３と給湯器２５との間に返湯管を設け、そのループ部分に常時温水を循環させるようにしておけば、各枝管１１の長さを適当に定めることにより即湯方式を実現することができる。
【００２８】
上記のような本実施の形態によれば、各住戸内設備への給水は勿論、きわめて短時間に温水を給湯することができ、また、水と温水を同時に供給することもできる。
さらに、例えば、洗面台３１、洗濯機３２、流し台３３等、複数の住戸内設備に水若しくは湯、又は水と湯を同時に供給することもできる。
【００２９】
［実施の形態２］
図６は本発明の実施の形態２に係る給水・給湯配管ユニットの要部の説明図である。
実施の形態１では、環状の外径が同径の給水分岐管２と給湯分岐管３を上下に配置し、固定具８により固定した分岐配管部１を支持部材６に取付けて一体化した場合を示したが、本実施の形態においては、環状の給水分岐管２と給湯分岐管３をほぼ同一平面上に配置して分岐配管部１を構成したものである。
【００３０】
すなわち、図６に示すように、例えば給湯分岐管３を給水分岐管２より小径に形成し、給水分岐管２の内側に同心的に配置する。
そして、図７に示すような取付腕８ｄの両側にＣ字状の保持部９ａ，９ｃを有する複数の固定具８により、給水分岐管２と給湯分岐管３を所定の間隔を隔て一体に保持し、取付腕８ｄを支持部材６にねじ止めして一体に構成したものである。
【００３１】
上記の説明では、給湯分岐管３を小径に形成した場合を示したが、給水分岐管２を小径に形成して給湯分岐管３の内側に配置してもよい。
本実施の形態においても、給水・給湯配管ユニットは実施の形態１の場合と同様にして建物に敷設され、ほぼ同様の作用、効果を得ることができる。
【００３２】
実施の形態１，２に係る本発明は、可撓性を有するパイプ材で給水分岐管２及び給湯分岐管３を環状に形成し、これを上下又は同心的に配置して固定具８で固定し、給水分岐管２及び給湯分岐管３に各枝管１１の全部又は大部分をＹ字状の継手５を介して接続するようにしたことにより、各枝管１１を分岐配管部１に沿って容易に集束してコンパクトに梱包できるので、輸送等に便利である。
また、各枝管１１を分岐配管部１に沿って集束し、束縛した状態のままで支持部材６により天井４０に取付けるようにしたので、取付がきわめて容易であり、工事期間中に配管材料が踏まれたり損傷したりすることがない。
【００３３】
給水分岐管２と給湯分岐管３は、上下又は同心的に配置されて支持部材６により一体的に固定され、そのままの状態で天井４０に取付けるようにしたので、従来のように給水分岐管２と給湯分岐管３を別々に敷設する必要がない。このため、設置スペースを小さくできるばかりでなく、一度に設置できるので施工性を大幅に向上することができる。
さらに、分岐配管部１は小さな円形（例えば、直径１ｍ程度）又は楕円形にして支持部材６に固定されるので、廊下や幅の狭い天井にも敷設することができ、敷設の自由度を拡大することができる。
また、あらかじめ工場等でユニット化されているので、施工現場でパイプ材の残材が発生することがない。
【００３４】
［実施の形態３］
実施の形態１，２では、環状の給水分岐管２と給湯分岐管３からなる分岐配管部１を、固定具８を介して支持部材６に固定して一体化した場合について説明したが、本実施の形態は支持部材６を省略したものである。
すなわち、図８（ａ）にその要部を示すように、図２で説明した複数個の固定具８を、水平片８ｂを上方にしてその上下の保持部９ａ，９ｂに給水分岐管２と給湯分岐管３を嵌入して固定し、水平片８ｂを天井４０にねじ止めして取付けるようにしたものである。
【００３５】
また、図８（ｂ）に示すように、同心的に配置した給水分岐管２と給水分岐管３を取付腕８ｄの両側に設けた保持部９ａ，９ｂにそれぞれ嵌入して固定し、取付腕８ｄを天井４０にねじ止めして取付けるようにしたものである。
本実施の形態によれば、実施の形態１，２に比べて天井４０への取付けがやや面倒であるが、支持部材６がないために、梱包時にはさらにコンパクトにすることができる。
【００３６】
上記の説明では、上下又は同心的に配置した給水分岐管２と給湯分岐管３を、図２又は図７で示す固定具８により固定する場合を示しが、固定具８の構造はこれに限定するものではなく、他の構造のものを用いてもよい。
また、支持部材６の中心部に設けた貫通穴７を、天井４０に設けたねじ棒４１に嵌合してナット４２で固定して分岐配管部１を設置する場合を示したが、他の手段を用いてもよく、２か所以上で固定してもよい。さらに、分岐配管部１を天井４０に取付ける場合を示したが、現場の状況によっては、壁面又は床に設置してもよい。
【００３７】
【発明の効果】
本発明に係る給水・給湯配管ユニットは、パイプ材により環状に形成され、給水源、給湯源及び住戸内設備に配管される枝管が接続された給水分岐管及び給湯分岐管を有し、取付位置への取付部を有する支持部材により給水分岐管及び給湯分岐管を上下又は同心的に配置して一体に固定するようにしたので、取付位置への取付がきわめて簡単で、流水性及び施工性を向上することができる。
【図面の簡単な説明】
【図１】本発明の実施の形態１に係る給水・給湯配管ユニットの全体構成を示す一部を省略した説明図である。
【図２】図１の給水分岐管と給湯分岐管に枝管を接合する継手の説明図である。
【図３】図１の給水分岐管と給湯分岐管を固定する固定具の説明図である。
【図４】実施の形態１の他の例の説明図である。
【図５】実施の形態１の分岐配管部を天井に取付ける手順の説明図である。
【図６】本発明の実施の形態２に係る給水・給湯配管ユニットの要部の説明図である。
【図７】図６の給水分岐管と給湯分岐管を固定する固定具の説明図である。
【図８】本発明の実施の形態３に係る給水・給湯配管ユニットの要部の説明図である。
【符号の説明】
１　分岐配管部
２　給水分岐管
３　給湯分岐管
４，５，２４　継手
６　支持部材
７　取付部
８　固定具
１１ａ〜１１ｂ…１７　枝管
２１　水道管
２５　給湯器
３０　浴槽
３１　洗面台
３２　洗濯機
３３　流し台
３４　便器
４０　天井（取付位置）
４１　ねじ棒
４２　ナット
【図１】
2004084401.tif 000003
【図２】
2004084401.tif 000004
【図３】
2004084401.tif 000005
【図４】
2004084401.tif 000006
【図５】
2004084401.tif 000007
【図６】
2004084401.tif 000008
【図７】
2004084401.tif 000009
【図８】
2004084401.tif 000010